(57)【要約】【課題】メッセージの伝送時にイベント無視モードを設定することにより、メッセージが伝送される途中に特定イベントが発生しても、メッセージの伝送を断絶なしに行うことができる移動通信端末機のメッセージ伝送方法を提供する。【解決手段】移動通信端末機のメッセージ伝送方法は、メッセージ環境設定メニューでイベント無視モードを設定することにより、メッセージの伝送を中断させる特定イベントが発生してもメッセージの継続的な伝送を行う。【選択図】図１
2008259232.tif 000002
【特許請求の範囲】
【請求項１】
移動通信システムの移動通信端末（１０）からメッセージを伝送する方法であって、
該メッセージの伝送の間において特定イベントが発生するか否かを判断すること（Ｓ３０）と、
該メッセージの伝送の間において該特定イベントが発生した場合において、該特定イベントに対してイベント無視モードが設定されるか否かを判断すること（Ｓ４０）と、
該特定イベントに対して該イベント無視モードが設定された場合において、該メッセージの伝送を継続すること（Ｓ５０）と、
該メッセージの伝送の間において、メッセージ伝送状態を使用者に通知すること（Ｓ７０）と、
該メッセージの伝送を完了した後において、該メッセージの伝送の成功／失敗状態に関連するメッセージ伝送成功／失敗情報を貯蔵すること（Ｓ９０）と、
該メッセージ伝送成功／失敗情報に基づいて、該メッセージの伝送の失敗の後に該メッセージを再伝送することと
を包含し、該メッセージ伝送成功／失敗情報は、該メッセージの伝送の伝送時刻と、受信者の識別とのうちの少なくとも１つを含む、方法。
【請求項２】
前記特定イベントが、前記移動通信端末（１０）のホルダーか、フリップか、スライディング蓋かの開閉と、別の使用者からの呼の受信とのうちの少なくとも１つを含む、請求項１に記載の方法。
【請求項３】
前記メッセージが、Ｓｈｏｒｔ  Ｍｅｓｓａｇｅ  Ｓｅｒｖｉｃｅメッセージか、Ｍｕｌｔｉｍｅｄｉａ  Ｍｅｓｓａｇｅ  Ｓｅｒｖｉｃｅメッセージか、それらの組み合わせかを含む、請求項１に記載の方法。
【請求項４】
前記特定イベントに対する前記イベント無視モードが設定されていないと判断された場合において、前記メッセージの伝送を中止すること（Ｓ６０）をさらに包含する、請求項１に記載の方法。
【請求項５】
前記移動通信端末（１０）の成功／失敗貯蔵領域に前記メッセージ伝送成功／失敗情報を貯蔵すること（Ｓ９０）をさらに包含する、請求項１に記載の方法。
【請求項６】
前記メッセージ伝送成功／失敗情報は、該メッセージの内容の一部を含む、請求項１に記載の方法。
【請求項７】
前記メッセージ伝送成功／失敗情報は、前記メッセージを構成する一つ以上の添付物が含まれるようになっている、請求項６に記載の方法。
【請求項８】
前記移動通信端末（１０）の表示装置を介して、前記使用者に前記メッセージ伝送状態が通知される、請求項１に記載の方法。
【請求項９】
前記表示装置がＬＣＤまたはＬＥＤである、請求項８に記載の方法。
【請求項１０】
前記メッセージ伝送状態を使用者に通知するステップ（Ｓ７０）が、
前記表示装置がＬＣＤである場合において、テキストベースの情報か、アニメーションか、それらの両方かを表示することと、
該表示装置がＬＥＤである場合において、該表示装置を点滅させることと
のうちの少なくとも１つを包含する、請求項９に記載の方法。
【請求項１１】
使用者からの入力に基づいて、前記特定イベントに対する前記イベント無視モードを設定することをさらに包含する、請求項１に記載の方法。
【請求項１２】
伝送する前記メッセージを作成すること（Ｓ１０）と、
該作成されたメッセージを伝送すること（Ｓ２０）と
を包含する、請求項１に記載の方法。
【請求項１３】
前記メッセージの伝送の完了を使用者に通知すること（Ｓ７０）をさらに包含する、請求項１に記載の方法。
【請求項１４】
前記再伝送するステップが、再伝送を行うべきであることを使用者が指示した場合において、生じる、請求項１に記載の方法。
【発明の詳細な説明】
【技術分野】
【０００１】
本発明は、移動通信端末機のメッセージの伝送に係るもので、詳しくは、移動通信端末機のメッセージ伝送方法に関するものである。
【背景技術】
【０００２】
最近、通信技術の急激な発展に伴い移動通信端末機は音声通話サービスの以外にメッセージの伝送サービス、無線インターネット、ベル音のダウンロードなどのような多様な付加サービスを提供している。その中で前記メッセージの伝送サービスは、移動通信サービス事業者が開発及び提供するサービスであって、伝送するデータの種類及び大きさによって８０ｂｙｔｅ以内の文字データを伝送するＳＭＳメッセージサービス（Ｓｈｏｒｔ  Ｍｅｓｓａｇｅ  Ｓｅｒｖｉｃｅ：短文）とマルチメディアデータを伝送するＭＭＳメッセージサービス（Ｍｕｌｔｉｍｅｄｉａ  Ｍｅｓｓａｇｅ  Ｓｅｒｖｉｃｅ：多重媒体）を包含する。好ましくは、前記メッセージはＳＭＳ／ＭＭＳメッセージを示す。
【０００３】
従って、使用者は、前記端末機に備えられた所定のキーを利用して伝送するメッセージを作成した後に相手にメッセージを伝送する。
【０００４】
然るに、前記メッセージが伝送される途中に使用者が端末機のホルダー（フリップ又はスライディング蓋）を閉めると、前記メッセージの伝送が自動に取消される。例えば、  使用者がＳＭＳメッセージを伝送した後に前記ＳＭＳメッセージの伝送が完了する前に端末機のホルダー（フリップ又はスライディング蓋）を閉めると、該ＳＭＳメッセージの伝送は自動に取消される。即ち、使用者により端末機のホルダー（フリップ又はスライディング蓋）の開閉のような特定イベント（Ｅｖｅｎｔ）が発生されると、端末機の制御部は当時遂行されているＳＭＳメッセージの伝送を終了させる。
【発明の開示】
【発明が解決しようとする課題】
【０００５】
従って、使用者は、メッセージを伝送した後に該当メッセージが全て伝送されるまで待った後、端末機のホルダーを閉めなければならないし、メッセージが伝送される途中にミスでホルダーが閉められた場合、再びメッセージを作成しなければならないという不都合な点があった。且つ、このような問題点はＭＭＳのような場合、一層深化されるという不都合な点があった。
【０００６】
従って、本発明は、メッセージの伝送時にイベント無視モードを設定し、メッセージが伝送される途中に特定イベントが発生されてもメッセージの伝送が断絶されることなく、遂行される移動通信端末機のメッセージ伝送方法を提供することを目的とする。
【課題を解決するための手段】
【０００７】
前記のような目的を達成するため、本発明は、メッセージを送信する時、特定イベントが発生されないと、メッセージの送信動作を引き続いて実行させて、特定イベントが発生されると、イベント無視モードが設定されたかを判断することを特徴とする。
【０００８】
若し、イベント無視モードが設定されていないと、メッセージの伝送を中断し、イベント無視モードが設定されていると、メッセージの伝送を中断することなく引き続いて動作及び実行することを特徴とする。
【０００９】
１つの局面において、本発明は、移動通信端末機間にメッセージが送受信される移動通信システムにおいて、メッセージ環境設定メニューでイベント無視モードを設定してメッセージの伝送を中断させる特定イベントが発生されてもメッセージの継続的な伝送を遂行することを特徴とする移動通信端末機のメッセージ伝送方法を提供する。
【００１０】
１つの実施形態において、上記特定イベントは、ホルダー、フリップ及びスライディング蓋の開閉イベントである。
【００１１】
１つの実施形態において、上記メッセージは、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｅ  Ｓｅｒｖｉｃｅ）を包含して構成される。
【００１２】
１つの実施形態において、上記特定イベントが発生される時、イベント無視モードが設定されていると、端末機は上記メッセージを継続的に伝送し、イベント無視モードが設定されていないと、上記メッセージの伝送を中断する。
【００１３】
１つの実施形態において、上記端末機は、上記メッセージの伝送が完了すると、伝送状態を使用者に知らせて貯蔵する。
【００１４】
１つの実施形態において、上記メッセージの伝送状態は、発信メッセージの成功又は失敗及び該当メッセージの伝送時刻と受信電話番号を包含して構成される。
【００１５】
１つの実施形態において、上記メッセージの伝送状態は、伝送成功の可否を知らせる伝送成功の可否メッセージを示す。
【００１６】
１つの実施形態において、上記伝送成功の可否メッセージは、発信成功可否箱に貯蔵される。
【００１７】
１つの実施形態において、上記伝送成功の可否メッセージは、伝送時刻と受信電話番号を共に表示する。
【００１８】
１つの実施形態において、上記伝送成功の可否メッセージは、上記メッセージの内容の一部分を記録する。
【００１９】
１つの実施形態において、伝送成功の可否メッセージは、上記メッセージの添付ファイルが削除されて表現された。
【００２０】
１つの実施形態において、伝送成功の可否メッセージは、特定表示装置を通って使用者に通知される。
【００２１】
１つの実施形態において、上記特定表示装置は、ＬＣＤ又はＬＥＤである。
【００２２】
別の局面において、本発明は、移動通信端末機間にメッセージが送受信される移動通信システムにおいて、
伝送するメッセージを作成してイベント無視モードを設定する段階と、
上記作成したメッセージを送信する段階と、
上記メッセージが伝送される途中に使用者により特定イベントが発生されると、上記端末機は、イベント無視モードの設定を確認して継続的なメッセージの伝送可否を決定する段階と、を順次行うことを特徴とする移動通信端末機のメッセージ伝送方法を提供する。
【００２３】
１つの実施形態において、上記特定イベントは、ホルダー、フリップ及びスライディング蓋の開閉イベントである。
【００２４】
１つの実施形態において、上記メッセージは、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｅ  Ｓｅｒｖｉｃｅ）を包含して構成される。
【００２５】
１つの実施形態において、上記特定イベントが発生される時にイベント無視モードが設定されていると、端末機は上記メッセージを継続的に伝送し、イベント無視モードが設定されていないと、メッセージの伝送を中断する。
【００２６】
１つの実施形態において、上記端末機は、上記メッセージの伝送が完了されると、伝送状態を使用者に知らせて貯蔵する。
【００２７】
１つの実施形態において、上記メッセージの伝送状態は、発信メッセージの成功又は失敗及び該当メッセージの伝送時刻と受信電話番号を包含して構成される。
【発明の効果】
【００２８】
以上、説明したように、本発明に係る移動通信端末機のメッセージ伝送方法においては、移動通信端末機にイベント無視モードを設定し、メッセージが伝送される途中に前記端末機のホルダー、フリップ及びスライディング蓋の開閉のような特定イベントが発生されても、前記端末機がメッセージの伝送を引き続いて実行することで、使用者の便利性及び通信サービスを質的に向上し得るという効果がある。
【発明を実施するための最良の形態】
【００２９】
以下、添付図面を参照して好ましい実施形態に対し、説明する。
【００３０】
本発明は、メッセージが伝送される途中に、メッセージの伝送を中止し得る特定イベントが発生されても断絶されることなく、前記メッセージの伝送が遂行される方案を提案する。このために本発明は、端末機にイベント無視モードメニューを設定し、前記メッセージの伝送時にホルダー開閉などのような特定イベントに関係なく引き続いて前記メッセージを伝送する。好ましく、前記特定イベントは、ホルダー、フリップ又はスライディング蓋の開閉のようなイベント（Ｅｖｅｎｔ）を意味し、前記メッセージはＳＭＳ／ＭＭＳメッセージを包含する。
【００３１】
本発明に係る移動通信システムにおいては、図１に示したように、移動通信端末機（Ｍｏｂｉｌｅ  Ｔｅｒｍｉｎａｌ：ＭＴ）１０、７０と、ＢＳ（Ｂａｓｅ  Ｓｔａｔｉｏｎ：基地局）２０、６０と、ＭＳＣ（Ｍｏｂｉｌｅ  Ｓｗｉｔｃｈｉｎｇ  Ｃｅｎｔｅｒ：交換局）３０と、ＨＬＲ（Ｈｏｍｅ  Ｌｏｃａｔｉｏｎ  Ｒｅｇｉｓｔｅｒ：溝位置登録器）４０と、ＳＭＣ（Ｓｈｏｒｔ  Ｍｅｓｓａｇｅ  Ｃｅｎｔｅｒ：ＳＭＳメッセージセンター）５０と、を包含して構成されている。
【００３２】
前記ＢＳ２０、６０は、前記移動通信端末機１０、７０と共に無線区間を利用した通信を遂行して無線リンク及び有線リンクを制御し、使用者が移動中に通話の持続性を維持させるためのハンドオフ（Ｈａｎｄ  Ｏｆｆ）機能を遂行する。
【００３３】
また、前記ＭＳＣ３０は、移動通信端末機１０、７０から発／受信の要求を処理するために他のＭＳＣとネットワーク網とを連動し、ＨＬＲ４０に加入者に対する照会を実施する。
【００３４】
また、前記ＭＳＣ３０が移動通信端末機１０、７０からＳＭＳメッセージの受信を受けると、ＳＭＣ５０にＳＭＳメッセージを伝送し、反対にＳＭＣ５０からＳＭＳメッセージの受信を受けると、ＢＳ２０、６０に伝送してページングチャンネル（Ｐａｇｉｎｇ  Ｃｈａｎｎｅｌ）を通してＳＭＳメッセージが移動通信端末機１０、７０に発／受信され得るようにする。
【００３５】
前記ＨＬＲ４０は、移動通信端末機の加入者情報と位置情報を貯蔵していて、受信呼（Ｃａｌｌ）に対する経路指定ができるようにする。
【００３６】
前記ＳＭＣ５０は、一つの独立的なノードであって、ＨＬＲ４０とＭＳＣ３０とを連結して受信者の位置を把握して各移動加入者にＳＭＳメッセージを伝達してあげる機能を持っている。
【００３７】
また、前記ＳＭＣ５０がＳＭＳメッセージを送受信する時に、どんな任意の瞬間にＳＭＳメッセージの伝達を受け得ない暴注多量（Ｂｕｒｓｔ）状態の受信側移動通信端末機に伝送されるＳＭＳメッセージを予め決められた時間に一時的に貯蔵（Ｍｅｍｏｒｙ）した後、ＳＭＳメッセージを伝達する。
【００３８】
若し、前記ＳＭＣ５０が移動通信端末機１０、７０からＢＳ２０、６０、ＭＳＣ３０を通してＳＭＳメッセージを受信すると、Ｑ（Ｑｕｅｕｅ）に受信されたＳＭＳメッセージを一時貯蔵する。
【００３９】
そして、前記ＳＭＣ５０は、ＳＭＳメッセージと共に伝送される受信側移動通信端末機の番号を分析してＨＬＲ４０と連動して該当移動通信端末機の位置を追跡してＳＭＳメッセージを伝送する役割をする。
【００４０】
以下、このように構成された移動通信システムの動作に対し説明する。
【００４１】
図２は、本発明に係る移動通信端末機のメッセージ伝送方法を説明した順序図であって、特定イベントの発生に係るイベント無視モードメニュー設定に対する動作を示している。
【００４２】
使用者は、先ず、図２に示したように、図３と共にＳＭＳ／ＭＭＳ環境の設定画面を選択してイベント無視モードを設定する。
【００４３】
即ち、イベント無視モードの環境設定において、ＯＮ／ＯＦＦの中で一つを選択してイベント無視モードを設定する。該イベント無視モードは、特定イベントが発生されてもメッセージの伝送が引き続いて遂行されるようにしたモードである。
【００４４】
一旦、イベント無視モードが設定されると、使用者は、所望のＳＭＳ又はＭＭＳメッセージを作成するが（Ｓ１０）、この場合に使用者は、図４に示したように、ＳＭＳ／ＭＭＳメッセージの貯蔵、優先順位及び貯蔵ホルダー等に対する情報も共に作成する。全てのメッセージが作成されると、使用者は、所定の発信キーを利用して端末機を通ってＳＭＳ／ＭＭＳメッセージを送信する（Ｓ２０）。次いで、前記ＳＭＳ／ＭＭＳメッセージが伝送される途中にホルダーの閉鎖（又は着信）のような特定イベントが発生されると（Ｓ３０）、端末機はイベント無視モードが設定されているかを判断する（Ｓ４０）。
【００４５】
次いで、前記判断の結果（Ｓ４０）、イベント無視モードが設定されていないと、端末機は現在実行中の前記ＳＭＳ／ＭＭＳメッセージの伝送を中止させ（Ｓ６０）、待機状態に転換させる（Ｓ１００）。
【００４６】
反面、イベント無視モードが使用者により設定されていると、端末機は、前記ＳＭＳ／ＭＭＳメッセージを引き続いて伝送する（Ｓ４０、Ｓ５０）。
【００４７】
即ち、図３に図示されたイベント無視モード設定において、ＯＮが選択されると、端末機は、特定イベントを無視した後にＳＭＳ／ＭＭＳメッセージを引き続いて伝送し、前記ＳＭＳ／ＭＭＳメッセージの伝送状態を使用者に知らせる（Ｓ５０、Ｓ７０）。
【００４８】
例えば、外部ＬＣＤが付着されている移動通信端末機である場合、該当端末機は、文字やアニメーションにメッセージの伝送中であることを画面に表示し、スライド型移動通信端末機又はフリップ型移動通信端末機である場合、該当端末機はＬＥＤ素子を発光させたりちらつくようにしてメッセージが伝送中であることを示す。メッセージを伝送する途中に着信のようなイベントが発生した場合には、着信側に知らせることも好ましい。
【００４９】
次いで、ＳＭＳ／ＭＭＳメッセージの伝送が完了（Ｓ８０）されると、端末機は、図５に図示された伝送メッセージ箱に前記ＳＭＳ／ＭＭＳメッセージの伝送成功の可否を貯蔵（Ｓ９０）する。即ち、前記メッセージの伝送が終わると、端末機は、伝送成功の可否を知らせる伝送成功の可否メッセージを発信成功可否箱（ｂｏｘ）に貯蔵する。
【００５０】
従って、使用者が図５（ａ）の伝送メッセージ箱から発信成功可否箱（選択：２番）を選ぶと、端末機は、図５（ｂ）に示したように、伝送成功の可否メッセージである伝送したＳＭＳ／ＭＭＳメッセージが包含されたメッセージの伝送成功の可否情報を共に表示する。
【００５１】
また、図５（ｃ）に示したように、伝送失敗メッセージは、使用者の選択により再伝送され得るように一つのモジュールとして貯蔵され、この時に伝送時刻と受信電話番号を包含して記録する。
【００５２】
若し、伝送されたメッセージがＭＭＳメッセージである場合、前記伝送成功の可否メッセージは、伝送されたＭＭＳメッセージの内容の一部分を記録して添付ファイルを削除して生成する。
【００５３】
最後に、ＳＭＳ／ＭＭＳメッセージの伝送成功の可否が貯蔵されると、端末機は、前記過程を終了して待機状態に転換される。一方、着信のようなイベントが発生した場合には、ＳＭＳ／ＭＭＳメッセージの伝送可否が貯蔵された後に該当動作が遂行され得る画面或いは自動着信のような状態に自動転換されるようにすることが好ましい。
【００５４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００５５】
【図１】本発明に適用される移動通信システムを示した構成図である。
【図２】本発明に係る移動通信端末機のメッセージ伝送方法を示した順序図である。
【図３】図２において、イベント無視モード設定のためのＳＭＳ／ＭＭＳ環境設定メニューの例示図である。
【図４】図２において、ＳＭＳ／ＭＭＳメッセージ作成の例示図である。
【図５】図２において、イベント無視モード設定後ＳＭＳ／ＭＭＳメッセージの伝送成功の可否確認の例示図である。
【符号の説明】
【００５６】
１０、７０：移動通信端末機（ＭＴ）        
２０、６０：ＢＳ基地局
３０：ＭＳＣ交換局
４０：ＨＬＲ（溝位置登録器）
５０：ＳＭＣＳＭＳメッセージセンター
【図１】
2008259232.tif 000003
【図２】
2008259232.tif 000004
【図３】
2008259232.tif 000005
【図４】
2008259232.tif 000006
【図５】
2008259232.tif 000007